(57)【要約】【課題】  ガス漏れの危険察知を敏速に行うことができるガス使用状況表示システムを提供する。【解決手段】  ガスメーターと、データ読取部と、データ表示部とを備え、前記ガスメーターはデータ蓄積部を有し、前記データ蓄積部はガスの使用量データを蓄積し、前記データ読取部がガスの使用量データを読み取り、前記データ表示部にてガス使用量を各日各時間に区切り、一覧にして表示することを特徴とするガス使用状況表示システム。【選択図】      図１
2019215197.tif 000002
【特許請求の範囲】
【請求項１】
ガスメーターと、データ読取部と、データ表示部とを備え、
前記ガスメーターはデータ蓄積部を有し、前記データ蓄積部はガスの使用量データを蓄積し、前記データ読取部がガスの使用量データを読み取り、前記データ表示部にてガス使用量を各日各時間に区切り、一覧にして表示することを特徴とするガス使用状況表示システム。
【請求項２】
各日各時間に区切られたガス使用量を、ガスの使用状況に応じて色分けして前記データ表示部において表示することを特徴とする請求項１記載のガス使用状況表示システム。
【発明の詳細な説明】
【技術分野】
【０００１】
本発明は、ガスメーター内に蓄積したガス使用量データを、使用量に応じて色分けした各日各時間の一覧として表示することで、微少なガス使用量に対してガス漏れの危険があるか否かを敏速に判断することができる技術に関するものである。
【背景技術】
【０００２】
ガスメーターは従来、僅かな流量のガスが数日間流れ続けた際にガス漏れとして警告表示を行う機能を有しており、そのような微少なガス漏れの警告が発生した場合、一旦ガスの供給を停止して圧力降下を計測することによる漏洩検査、機密検査を行った後、再度ガスの供給が開始される。しかし、業務用などで常にガスを消費していると、ガス漏れが無いにもかかわらず前記機能が作動することがあり、この場合漏洩検査、気密検査を行った上でさらに消費者へ使用状況に関するヒアリングも行う。また、ガス漏れ修繕後、状況が改善されたかどうかを判定するのに１５〜３０日の日数を要しており、多大な労力及び期間を要していた。
【発明の概要】
【発明が解決しようとする課題】
【０００３】
本発明は上記実情に鑑みたものであり、ガス漏れの危険察知を敏速に行うことができるガス使用状況表示システムを提供する。
【課題を解決するための手段】
【０００４】
本発明のうち請求項１記載のガス使用状況表示システムは、ガスメーターと、データ読取部と、データ表示部とを備え、前記ガスメーターはデータ蓄積部を有し、前記データ蓄積部はガスの使用量データを蓄積し、前記データ読取部がガスの使用量データを読み取り、前記データ表示部にてガス使用量を各日各時間に区切り、一覧にして表示することを特徴とする。
【０００５】
本発明のうち請求項２記載のガス使用状況表示システムは、前記請求項１の記載に加えて、各日各時間に区切られたガス使用量を、ガスの使用状況に応じて色分けして前記データ表示部において表示することを特徴とする。
【発明の効果】
【０００６】
請求項１に記載の発明によれば、ガス供給設備の保全を行うガス販売事業者が、ガス消費者へのヒアリングを行わずとも消費者個々の日毎、時間毎の使用状況を知ることができるため、ガス漏れの危険察知を敏速に行える。
【０００７】
また、ガスメーター内に蓄積した日々のガス使用状況のデータを取得し、その場で確認できる構成であるので、本発明により修繕から数日で状況が改善するか知ることもできる。
【０００８】
請求項２記載の発明によれば、各日各時間に区切られたガス使用量が使用状況に応じた
色分けがされることで、視覚的に分かり易く、ガス使用状況を一目で把握することができるので、ガス漏れの危険察知を敏速に行うことができる。
【図面の簡単な説明】
【０００９】
【図１】データ表示部において表示される各日各時間に区切られたガス使用量の一覧を示す概略図である。
【図２】図１のＡの拡大図である。
【図３】ガス使用状況表示システムの構成を示す説明図である。
【図４】データ表示部におけるカレンダー表示を示す概略図である。
【図５】データ取得方法の一例を示すシーケンスチャートである。
【発明を実施するための形態】
【００１０】
以下、本発明の実施の形態を図面に基づいて説明する。
【００１１】
図３に示すように、本発明のガス使用状況表示システムは、ガスの使用量データ２０３を蓄積するデータ蓄積部４を備えたガスメーター１と、前記データ蓄積部４からガスの使用量データ２０３を読み取るデータ読取部１０と、読み取ったデータを表示するデータ表示部２０とで構成される。
【００１２】
ガスメーター１は少なくとも３０日間１時間毎、計７２０個のガスの使用量データ２０３を蓄積するデータ蓄積部４を備えており、１時間経過する度、前記データ蓄積部４にその１時間のガス使用量が記録されていく。また、ガスメーター１には、一般的にガスメーター内部で記録しているガスの残量情報をリセットするための容器リセットスイッチとして、リードスイッチ（磁器検出器）２が内蔵されている。また、夜間でも保安情報による警告を認識できるように、液晶パネル以外にＬＥＤ（発光部）３が搭載されている。
【００１３】
本実施例では、前記ガスの使用量データ２０３を読み取るデータ読取部１０に対してデータ取得要求信号３１を送信するデータ表示部２０として、専用のアプリケーションをインストールしたスマートフォン２０を用いる。アプリケーションを起動すると、ＧＵＩがスマートフォン２０の画面に表示される。パターン選択画面において各データ名称に対応して表示されている選択ボタンの中から、作業者が３０日間使用状況データに対応するボタンを選択（タップ）すると、スマートフォン２０はデータ読取装置１０へとデータ取得要求信号３１を伝送する。なお、このときの接続インターフェースはＵＳＢなどの有線接続あるいはBluetooth（登録商標）などの無線接続を用いる。
【００１４】
データ読取部１０は、ガスメーター１への近接を検知する近接スイッチ１１と、ガスメーター１のリードスイッチ２に対して磁気信号３２を出力する電磁石１２と、ガスメーター１のＬＥＤ３から光信号３３によりデータを受信するフォトトランジスタ（受光部）１３とを備える。
近接スイッチ１１は、本実施例ではガスメーター１と接触することで機械的にスイッチがＯＮとなり距離を認識する機械式近接スイッチを用いているが、光電形など、他の原理を用いた近接スイッチを用いてもよい。近接スイッチ１１は、ガスメーター１と接触することで近接を検知し、この近接検知をきっかけにしてデータ読取部１０はガスメーター１との通信を開始する。
【００１５】
リードスイッチ２で受信したデータ選択信号３２をガスメーター１が検出すると、データ蓄積部４は過去３０日分の１時間ごとのガス使用量情報を、ＬＥＤ３からの光信号３３に変換して出力する。
データ読取部１０は、ガスメーター１からの光信号３３を受信すると、送信するデータ３４の生成を行い、インターフェースを介してスマートフォン２０へデータ３４の転送を行う。
【００１６】
スマートフォン２０へと転送されたデータ３４は、図１に示すような各日各時間のガス使用量一覧２０１としてデータ表示部２０に表示される。なお、本実施例において、データ表示部としてスマートフォン２０を用いているが、パソコンや専用の端末機器など他の形態であってもよい。
【００１７】
３０日間のガスの使用量データ２０３は、図１及び図２のような各日各時間で区切られたマス目状の一覧２０１として表示される。マス目２０２が、ある日の１時間を示し、その１時間に使用されたガスの量に対応する凡例２１０に沿った色でマス目２０２が塗りつぶされる。ガス使用量はＬ(リットル)で表示され、それぞれ大（例えば１００Ｌ以上）２１１、中（例えば２１Ｌ以上１００Ｌ未満）２１２、小（例えば２Ｌ以上２１Ｌ未満）２１３、小２１３未満２１４及び未取得データ２１５の５段階に分けられており、特に前記小２１３には、ガスメーターが検出可能な下限流量を超え且つ一般家庭における通常時（料理や風呂など）の使用量を下回るガス使用量が設定されていて、ガス漏れの危険を孕んでいるため、通常の使用量を示した色とは異なる目立った色でマス目２０２が塗りつぶされる。ガス漏れが疑われる場合は、前記小２１３が長時間連続して検出されるため、図１及び図２に示すように、当該色で塗られたマス目２０２がほぼ横一列に並んで表示される。なお、大２１１、中２１２及び小２１３の閾値は、アプリケーションにおいて自由に設定可能である。本実施例ではそれぞれ、前記大２１１は青色、前記中２１２は水色、前記小２１３は赤色でマス目２０２が着色されている。
上記に加えて、前記小２１３が検知された日、つまりマス目２０２が赤色で塗りつぶされた時間帯がある日は、スマートフォン２０の画面をスクロールすることで表示される、図４のようなカレンダー２２１の当該日付の下に、マス目２０２が塗りつぶされた色と同様の色で図形２２２が描かれるため、ガス漏れが疑われる日付を容易に確認することができる。
【００１８】
上記の構成によって、図１に示すような、各日各時間のガス使用量を使用量に応じて色分けした一覧２０１をデータ表示部２０で見れば、ガス販売業者が一日のガス使用状況を一目で把握し、一時的なガスの連続使用であったのか、あるいはガス漏れのような長時間連続する微少な流れであるかをガス消費者へのヒアリングを行わずとも判断でき、また、その後の敏速な対応を可能とする。
加えて、前記小２１３のような微少なガスの流量を示す色として、前記大２１１や中２１２のような通常使用時のガスの流量を示す色とは異なる目立った色を使用すれば、微少なガスの流量が検知されたことが際立ち、視覚的に判別し易くなる効果が期待される。
【００１９】
また、一定期間のガス使用状況を把握できるため、ガス漏れの修理において従来１５〜３０日の期間を要して判断していた修繕の効果が数日で判定可能となるので、修繕に掛かる作業日数の短縮ができる。
【００２０】
本実施例では、ガスメーターからデータを読み取るデータ読取部は、データ表示部から独立した装置を用いているが、両機能を併せ持った装置を用いてもよい。
本実施例において、蓄積されるガス使用状況のデータは３０日間１時間ごとであるが、蓄積される期間は３０日より長くても短くても良いし、時間の区切りも１時間ごとではなく、より細かくても、より粗くてもよい。
また、ガスの使用状況に応じたマス目の色分けは、例えば色の濃淡や網掛けとしてもよいし、マス目表示だけでなく、記号を用いた表示をしてもよい。
【符号の説明】
【００２１】
１  ガスメーター
４  データ蓄積部
１０  データ読取部
２０  スマートフォン（データ表示部）
２０１  ガス使用量一覧
２０３  ガスの使用量データ
【図１】
2019215197.tif 000003
【図２】
2019215197.tif 000004
【図３】
2019215197.tif 000005
【図４】
2019215197.tif 000006
【図５】
2019215197.tif 000007